(57)【要約】  本発明は、マルチウェイスイッチ、無線周波数システム及び無線通信装置を提供する。マルチウェイスイッチは、１２個のスロー（Ｔ）ポート及び４つの極（Ｐ）ポートを含む。１２個のＴポートは４つの第一Ｔポートを含み、各々の第一Ｔポートは４つのＰポートに全部結合される。マルチウェイスイッチは、デュアル周波数デュアル送信モードで動作可能な電子装置の無線周波数回路及びアンテナシステムに結合されて、電子装置のプリセット機能を実現するために用いられる。アンテナシステムは、４つのＰポートに対応する４つのアンテナを含む。プリセット機能は、４つのアンテナによってサウンディングリファレンス信号（ＳＲＳ）を順番に送信する機能である。
2021510040.tif 000002
【特許請求の範囲】
【請求項１】
マルチウェイスイッチ１０であって、
１２個のスロー（Ｔ）ポート及び４つの極（Ｐ）ポートを含み、１２個のＴポートは４つの第一Ｔポートを含み、各々の第一Ｔポートは４つのＰポートに全部結合され、
前記マルチウェイスイッチは、デュアル周波数デュアル送信モードで動作可能な電子装置１００の無線周波数回路３０及びアンテナシステム２０に結合されて、電子装置のプリセット機能を実現するために用いられ、前記アンテナシステムは４つのＰポートに対応する４つのアンテナを含み、プリセット機能は４つのアンテナによってサウンディングリファレンス信号（ＳＲＳ）を順番に送信する機能である、
ことを特徴とするマルチウェイスイッチ。
【請求項２】
１２個のＴポートはさらに８つの第二Ｔポートを含み、８つの第二Ｔポートのそれぞれは４つのＰポートのうちの１つのＰポートに結合され、８つの第二Ｔポートにおける同じ周波数帯域で動作可能な任意の２つの第二Ｔポートは４つのＰポートのうちの異なるＰポートに結合され、
４つのＰポートのそれぞれは対応するアンテナに結合され、
４つの第一Ｔポートは送信機能のみをサポートし、
８つの第二Ｔポートは受信機能のみをサポートする、
ことを特徴とする請求項１に記載のマルチウェイスイッチ。
【請求項３】
前記電子装置の無線周波数回路は、論理的に４つの送信回路と８つの受信回路を含み、
前記無線周波数回路は、物理的に２つの独立回路モジュールを含み、
前記２つの独立回路モジュールは複数の送信ポート及び複数の受信ポートを有し、各送信ポートは４つの第一Ｔポートのうちの１つの第一Ｔポートに結合され、各受信ポートは８つの第二Ｔポートのうちの１つの第二Ｔポートに結合される、
ことを特徴とする請求項２に記載のマルチウェイスイッチ。
【請求項４】
前記２つの独立回路モジュールは１つの第一独立回路モジュール及び１つの第二独立回路モジュールを含み、前記第一独立回路モジュール及び前記第二独立回路モジュールは、両方とも複数の第一ポート及び複数の第二ポートを含み、各第一ポートは前記マルチウェイスイッチの４つの第一Ｔポートのうちの１つの第一Ｔポートに結合され、各第二ポートは前記マルチウェイスイッチの８つの第二Ｔポートのうちの１つの第二Ｔポートに結合され、
前記第一独立回路モジュールは、異なる周波数帯域で動作可能な２つの送信回路と、４つの受信回路と、を含み、前記第一独立回路モジュールの２つの送信回路のそれぞれは、前記第一独立回路モジュールの複数の第一ポートの１つの第一ポートに結合された１つの送信ポートを有し、前記独立回路モジュールの４つの受信回路のそれぞれは、前記第一独立回路モジュールの複数の第二ポートのうちの１つの第二ポートに結合された１つの受信ポートを有し、
前記第二独立回路モジュールは、異なる周波数帯域で動作可能な２つの送信回路と、４つの受信回路と、を含み、前記第二独立回路モジュールの２つの送信回路のそれぞれは、前記第二独立回路モジュールの複数の第一ポートの１つの第一ポートに結合された１つの送信ポートを有し、前記第二独立回路モジュールの４つの受信回路のそれぞれは、前記第二独立回路モジュールの複数の第二ポートのうちの１つの第二ポートに結合された１つの受信ポートを有する、
ことを特徴とする請求項３に記載のマルチウェイスイッチ。
【請求項５】
前記２つの独立回路モジュールは１つの第一独立回路モジュール及び１つの第二独立回路モジュールを含み、前記第一独立回路モジュールは複数の第一ポートを含み、前記第一独立回路モジュールの各第一ポートは、前記マルチウェイスイッチの４つの第一Ｔポートのうちの１つの第一Ｔポートに結合され、前記第二独立回路モジュールは複数の第一ポート及び複数の第二ポートを含み、前記第二独立回路モジュールの各第一ポートは前記マルチウェイスイッチの４つの第一Ｔポートのうちの１つの第一Ｔポートに結合され、各第二ポートは前記マルチウェイスイッチの８つの第二Ｔポートのうちの１つの第二Ｔポートに結合され、
前記第一独立回路モジュールは異なる周波数帯域で動作可能な２つの送信回路を含み、前記第一独立回路モジュールの２つの送信回路のそれぞれは、前記第一独立回路モジュールの複数の第一ポートの１つの第一ポートに結合された１つの送信ポートを有し、
前記第二独立回路モジュールは、異なる周波数帯域で動作可能な２つの送信回路と、８つの受信回路と、を含み、前記第二独立回路モジュールの２つの送信回路のそれぞれは、前記第二独立回路モジュールの複数の第一ポートの１つの第一ポートに結合された１つの送信ポートを有し、前記８つの受信回路のそれぞれは、前記第二独立回路モジュールの複数の第二ポートのうちの１つの第二ポートに結合された１つの受信ポートを有する、
ことを特徴とする請求項３に記載のマルチウェイスイッチ。
【請求項６】
前記電子装置の無線周波数回路は、論理的に４つの送信回路と８つの受信回路を含み、
前記無線周波数回路は、物理的に３つの独立回路モジュールを含み、
前記３つの独立回路モジュールのうちの少なくとも１つの独立回路モジュールは複数の送信ポートを含み、且つ各送信ポートは４つの第一Ｔポートのうちの１つの第一Ｔポートに結合され、
前記３つの独立回路モジュールは複数の受信ポートを有し、且つ各受信ポートは８つの第二Ｔポートのうちの１つの第二Ｔポートに結合される、
ことを特徴とする請求項２に記載のマルチウェイスイッチ。
【請求項７】
前記３つの独立回路モジュールは２つの第一独立回路モジュール及び１つの第二独立回路モジュールを含み、前記第一独立回路モジュールは複数の第一ポートを含み、且つ各第一ポートは前記マルチウェイスイッチの４つの第一Ｔポートのうちの１つの第一Ｔポートに結合され、前記第二独立回路モジュールは複数の第二ポートを含み、且つ各第二ポートは前記マルチウェイスイッチの８つの第二Ｔポートのうちの１つの第二Ｔポートに結合され、
前記第一独立回路モジュールは、異なる周波数帯域で動作可能な２つの送信回路を含み、２つの送信回路のそれぞれは、前記第一独立回路モジュールの複数の第一ポートの１つの第一ポートに結合された１つの送信ポートを有し、
前記第二独立回路モジュールは８つの受信回路を含み、８つの受信回路のそれぞれは、前記第二独立回路モジュールの複数の第二ポートのうちの１つの第二ポートに結合された１つの受信ポートを有する、
ことを特徴とする請求項６に記載のマルチウェイスイッチ。
【請求項８】
前記３つの独立回路モジュールは２つの第一独立回路モジュール及び１つの第二独立回路モジュールを含み、前記第一独立回路モジュールは複数の第一ポート及び複数の第二ポートを含み、且つ各第一ポートは前記マルチウェイスイッチの４つの第一Ｔポートのうちの１つの第一Ｔポートに結合され、前記第一独立回路モジュールの各第二ポートは前記マルチウェイスイッチの８つの第二Ｔポートのうちの１つの第二Ｔポートに結合され、前記第二独立回路モジュールは複数の第二ポートを含み、前記第二独立回路モジュールの各第二ポートは前記マルチウェイスイッチの８つの第二Ｔポートのうちの１つの第二Ｔポートに結合され、
前記第一独立回路モジュールは、異なる周波数帯域で動作可能な２つの送信回路と、２つの受信回路と、を含み、２つの送信回路のそれぞれは、前記第一独立回路モジュールの複数の第一ポートの１つの第一ポートに結合された１つの送信ポートを有し、２つの受信回路のそれぞれは、前記第一独立回路モジュールの複数の第二ポートのうちの１つの第二ポートに結合された１つの受信ポートを有し、
前記第二独立回路モジュールは４つの受信回路を含み、４つの受信回路のそれぞれは、前記第二独立回路モジュールの複数の第二ポートのうちの１つの第二ポートに結合された１つの受信ポートを有する、
ことを特徴とする請求項６に記載のマルチウェイスイッチ。
【請求項９】
前記電子装置の無線周波数回路は、論理的に４つの送信回路と８つの受信回路を含み、
前記無線周波数回路は、物理的に４つの独立回路モジュールを含み、
前記４つの独立回路モジュールのうちの少なくとも１つの独立回路モジュールは複数の送信ポートを含み、且つ各送信ポートは４つの第一Ｔポートのうちの１つの第一Ｔポートに結合され、
前記４つの独立回路モジュールは複数の受信ポートを有し、且つ各受信ポートは８つの第二Ｔポートのうちの１つの第二Ｔポートに結合される、
ことを特徴とする請求項２に記載のマルチウェイスイッチ。
【請求項１０】
前記４つの独立回路モジュールは４つの第一独立回路モジュールを含み、前記第一独立回路モジュールは１つの第一ポート及び複数の第二ポートを含み、前記第一ポートは前記マルチウェイスイッチの４つの第一Ｔポートのうちの１つの第一Ｔポートに結合され、各第二ポートは前記マルチウェイスイッチの８つの第二Ｔポートのうちの１つの第二Ｔポートに結合され、
前記第一独立回路モジュールは１つの送信回路及び２つの受信回路を含み、前記送信回路は前記第一独立回路モジュールの第一ポートに結合された送信ポートを有し、２つの受信回路のそれぞれは、前記第一独立回路モジュールの複数の第二ポートのうちの１つの第二ポートに結合された１つの受信ポートを有する、
ことを特徴とする請求項９に記載のマルチウェイスイッチ。
【請求項１１】
前記電子装置の無線周波数回路は、論理的に４つの送信回路と８つの受信回路を含み、
前記無線周波数回路は、物理的に６つの独立回路モジュールを含み、
前記６つの独立回路モジュールのうちの少なくとも１つの独立回路モジュールは複数の送信ポートを含み、且つ各送信ポートは４つの第一Ｔポートのうちの１つの第一Ｔポートに結合され、
前記６つの独立回路モジュールは複数の受信ポートを有し、且つ各受信ポートは８つの第二Ｔポートのうちの１つの第二Ｔポートに結合される、
ことを特徴とする請求項２に記載のマルチウェイスイッチ。
【請求項１２】
前記電子装置の無線周波数回路は、論理的に４つの送信回路と８つの受信回路を含み、
前記無線周波数回路は、物理的に８つの独立回路モジュールを含み、
前記８つの独立回路モジュールのうちの少なくとも１つの独立回路モジュールは複数の送信ポートを含み、且つ各送信ポートは４つの第一Ｔポートのうちの１つの第一Ｔポートに結合され、
前記８つの独立回路モジュールは複数の受信ポートを有し、且つ各受信ポートは８つの第二Ｔポートのうちの１つの第二Ｔポートに結合される、
ことを特徴とする請求項２に記載のマルチウェイスイッチ。
【請求項１３】
前記電子装置の無線周波数回路は、論理的に４つの送信回路と８つの受信回路を含み、
前記無線周波数回路は、物理的に１０個の独立回路モジュールを含み、
前記１０個の独立回路モジュールのうちの少なくとも１つの独立回路モジュールは複数の送信ポートを含み、且つ各送信ポートは４つの第一Ｔポートのうちの１つの第一Ｔポートに結合され、
前記１０個の独立回路モジュールは複数の受信ポートを有し、且つ各受信ポートは８つの第二Ｔポートのうちの１つの第二Ｔポートに結合される、
ことを特徴とする請求項２に記載のマルチウェイスイッチ。
【請求項１４】
無線周波数システム２００であって、
アンテナシステム２０と、無線周波数トランシーバ４０と、前記無線周波数トランシーバ４０に結合された無線周波数回路３０と、請求項１〜１３のいずれか一項に記載のマルチウェイスイッチ１０と、を含む、
ことを特徴とする無線周波数システム。
【請求項１５】
無線通信装置３００であって、
アンテナシステム２０と、無線周波数トランシーバ４０と、無線周波数トランシーバ４０に結合された無線周波数回路３０と、請求項１〜１３のいずれか一項に記載のマルチウェイスイッチ１０と、を含む、
ことを特徴とする無線通信装置。
【発明の詳細な説明】
【技術分野】
【０００１】
本発明は、通信技術分野に関し、さらに具体的に、マルチウェイスイッチ、無線周波数システム及び無線通信装置に関する。
【背景技術】
【０００２】
スマートフォンなどの電子装置が広く使用されることに伴って、スマートフォンがサポートすることができるアプリケーションはだんだん多くなり、且つ機能も強力になっている。スマートフォンは、多様化、パーソナライズされた方向に向かって発展し、ユーザーの生活に不可欠な電子製品になっている。第四世代（ｔｈｅ  ４ｔｈ  Ｇｅｎｅｒａｔｉｏｎ，４Ｇ）の移動通信システムにおいて、電子装置は一般的にシングルアンテナ又は二重アンテナの無線周波数（ＲＦ）システムアーキテクチャを採用している。現在、第五世代（ｔｈｅ  ５ｔｈ  Ｇｅｎｅｒａｔｉｏｎ，５Ｇ）の移動通信システムの新しい無線（Ｎｅｗ  Ｒａｄｉｏ，ＮＲ）システムにおいて、４アンテナ無線周波数システムアーキテクチャをサポートする電子装置が提案されている。
【発明の概要】
【０００３】
本発明の実施形態は、マルチウェイスイッチ、無線周波数システム及び無線通信装置を提供する。
【０００４】
本開示の第一態様によれば、マルチウェイスイッチが提供される。マルチウェイスイッチは、１２個のスロー（ｔｈｒｏｗ）（Ｔ）ポート及び４つの極（ｐｏｌｅ）（Ｐ）ポートを含む。１２個のＴポートは４つの第一Ｔポートを含み、各々の第一Ｔポートは４つのＰポートに全部結合される。
【０００５】
マルチウェイスイッチは、デュアル周波数デュアル送信モードで動作可能な電子装置の無線周波数回路及びアンテナシステムに結合されて、電子装置のプリセット機能を実現するために用いられる。アンテナシステムは、４つのＰポートに対応する４つのアンテナを含む。プリセット機能は、４つのアンテナによってサウンディングリファレンス信号（ｓｏｕｎｄｉｎｇ ｒｅｆｅｒｅｎｃｅ ｓｉｇｎａｌｓ、ＳＲＳ）を順番に送信する機能である。
【０００６】
本開示の第二態様によれば、無線周波数システムが提供される。無線周波数システムは、アンテナシステムと、無線周波数トランシーバと、無線周波数トランシーバに結合された無線周波数回路と、無線周波数回路及びアンテナシステムに結合されたマルチウェイスイッチと、を含む。マルチウェイスイッチは、１２個のＴポート及び４つのＰポートを含む。１２個のＴポートは４つの第一Ｔポートを含み、各々の第一Ｔポートは４つのＰポートに全部結合される。アンテナシステムは、４つのＰポートに対応する４つのアンテナを含む。
【０００７】
マルチウェイスイッチは、４つのアンテナによってＳＲＳを順番に送信するプリセット機能を実現するために用いられる。
【０００８】
本開示の第三態様によれば、無線通信装置が提供される。無線通信装置は、無線周波数トランシーバと、無線周波数トランシーバに結合された無線周波数回路と、アンテナシステムと、無線周波数回路及びアンテナシステムに結合されたマルチウェイスイッチと、を含む。アンテナシステムは、４つのアンテナを含む。マルチウェイスイッチは、１２個のＴポート及び４つのＰポートを含む。１２個のＴポートは、送信機能のみをサポートする４つの第一Ｔポートと、受信機能のみをサポートする８つの第二Ｔポートと、を含む。各々の第一Ｔポートは４つのＰポートに全部結合される。各々の第二Ｔポートは４つのＰポートのうちの１つのＰポートに結合され、且つ同じ周波数帯域で動作可能な任意の２つの第二Ｔポートは４つのＰポートのうちの異なるＰポートに結合される。４つのＰポートのそれぞれは、対応するアンテナに結合される。
【０００９】
マルチウェイスイッチは、４つのＰポートに対応する４つのアンテナによってＳＲＳを順番に送信するプリセット機能を実現するために用いられる。
【００１０】
本発明の実施例において、電子装置は、アンテナシステムと、無線周波数回路と、マルチウェイスイッチと、を含む。アンテナシステムは、４つのアンテナを含む。マルチウェイスイッチは、１２個のＴポート及び４つのＰポートを含む。マルチウェイスイッチは、無線周波数回路及びアンテナシステムに結合されて電子装置のプリセット機能を実現し、プリセット機能は４つのＰポートに対応する４つのアンテナによってＳＲＳを順番に送信する機能である。
【図面の簡単な説明】
【００１１】
添付された図面と併せて読む場合、以下の詳細な説明から本開示をよく理解することができる。慣例によれば、図面の様々な特徴は一定の縮尺で描かれていないことを強調する。逆に、明確に説明するために、様々な特徴の寸法は任意に拡大又は縮小されている。
【図１】図１は、本発明の実施形態に係わるマルチウェイスイッチの構造を示す概略図である。
【図２】図２は、本発明の実施形態に係わるマルチウェイスイッチの構造を示す概略図である。
【図３】図３は、本発明の実施形態に係わる図２に示された構造に対応するマルチウェイスイッチの構造を示す概略図である。
【図４】図４は、本発明の実施形態に係わる無線周波数回路の構造を示す概略図である。
【図５】図５は、本発明の実施形態に係わる無線周波数回路の別の構造を示す概略図である。
【図６】図６は、本発明の実施形態に係わる無線周波数回路の別の構造を示す概略図である。
【図７】図７は、本発明の実施形態に係わる無線周波数回路の別の構造を示す概略図である。
【図８】図８は、本発明の実施形態に係わる無線周波数回路の別の構造を示す概略図である。
【図９】図９は、本発明の実施形態に係わる無線周波数回路の別の構造を示す概略図である。
【図１０】図１０は、本発明の実施形態に係わる無線周波数回路の別の構造を示す概略図である。
【図１１】図１１は、本発明の実施形態に係わる無線周波数回路の別の構造を示す概略図である。
【図１２】図１２は、本発明の実施形態に係わる電子装置のアンテナシステムの構造を示す概略図である。
【図１３】図１３は、本発明の実施形態に係わる電子装置の別のアンテナシステムの構造を示す概略図である。
【図１４】図１４は、本発明の実施形態に係わる無線周波数システムの構造を示す概略図である。
【図１５】図１５は、本発明の実施形態に係わる無線通信装置の構造を示す概略図である。
【図１６】図１６は、本発明の実施形態に係わる無線通信装置のアンテナを再利用するための無線充電受信機を示す概略図である。
【図１７】図１７は、本発明の実施形態に係わる４つのアンテナを含むループアレイアンテナの構造を示す概略図である。
【発明を実施するための形態】
【００１２】
当業者が本発明の技術的方案をよりよく理解できるように、以下、本発明の実施形態の添付の図面を参照しながら、本発明の技術的方案を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に属する。
【００１３】
本願の明細書、特許請求の範囲及び図面で使用される用語「第一」、「第二」などは、特定の順序を説明するために用いられなく、異なる対象を区別するために用いられる。用語「備える」、「含む」、「有する」及びそれらの変形は、非排他的包含を網羅することを意図する。例えば、一連のステップ又はユニットを含むプロセス、方法、システム、製品、又は装置は、リストされたステップ又はユニットに限定されず、選択的に、リストされていない他のステップ又はユニットを含むことができ、又は、選択的に、これらのプロセス、方法、製品、又はデバイスに固有する他のステップ又はユニットを含むことができる。
【００１４】
本明細書で言及される「実施例」又は「実施形態」という用語は、実施形態に関連して説明される特定の特徴、構造、又は特性が本願の少なくとも１つの実施形態に含まれ得ることを意味する。本明細書の各々の場所に現れるこの用語は、必ず同じ実施形態を指すものではなく、他の実施形態と相互に排他的な独立した又は代替実施形態を指すものでもない。本明細書に記載された実施形態は他の実施形態と組み合わせることができることは、当業者によって明示的及び暗黙的に理解される。
【００１５】
本発明の実施形態に係わる電子装置は、無線通信機能を有する様々なハンドヘルドデバイス、車載デバイス、ウェアラブルデバイス、コンピューティングデバイス又はワイヤレスモデムに接続された他の処理デバイス、及び様々な形態のユーザ装置（Ｕｓｅｒ Ｅｑｕｉｐｍｅｎｔ，ＵＥ）、モバイルステーション（Ｍｏｂｉｌｅ Ｓｔａｔｉｏｎ，ＭＳ）、端末装置（ｔｅｒｍｉｎａｌ ｄｅｖｉｃｅ）などを含むことができる。便利に説明するために、上記のデバイスを総称して電子装置と呼ぶ。
【００１６】
現在、携帯電話の４つのアンテナを切り替えてサウンディングリファレンス信号（ｓｏｕｎｄｉｎｇ ｒｅｆｅｒｅｎｃｅ ｓｉｇｎａｌｓ、ＳＲＳ）を送信する機能は、中国移動通信グループ（Ｃｈｉｎａ  Ｍｏｂｉｌｅ  Ｃｏｍｍｕｎｉｃａｔｉｏｎｓ  Ｇｒｏｕｐ  Ｃｏ．，Ｌｔｄ，ＣＭＣＣ）が「中国移動５Ｇ規模試験技術白書−端末」における必須オプションであり、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）ではオプションであり、その主な目的は、基地局が携帯電話の４つのアンテナのアップリンク信号を測定することにより、４つのチャネルの品質とパラメータを確認し、チャネルの相互関係に応じて４つのチャネルに対してダウンリンク大規模多入力多出力（Ｍｕｌｔｉｐｌｅ−Ｉｎｐｕｔ  Ｍｕｌｔｉｐｌｅ−Ｏｕｔｐｕｔ，ＭＩＭＯ）アンテナアレイのビームフォーミングを実行して、最後にダウンリンク４×４ＭＩＭＯが最適なデータ伝送性能を獲得するようにすることである。
【００１７】
４つのアンテナでのＳＲＳスイッチングの要件を満たすために、本発明の実施形態は、簡略化された４ＰｎＴアンテナスイッチに基づく無線周波数アーキテクチャを提供する。３Ｐ３Ｔ/ＤＰＤＴ/マルチウェイ小型スイッチスイッチングスキームと比較すると、本開示のスイッチングスキームは、全部又は一部のスイッチを４ＰｎＴスイッチに統合することにより、各経路の直列に接続されたスイッチの数を減らすことができ、リンク損失を減らして、端末装置全体の送信及び受信性能を最適化する。以下、本発明の実施形態を詳細に説明する。
【００１８】
本開示の文脈では、略語「ＬＮＡ」は低雑音増幅器を指し、略語「ＰＡ」は電力増幅器を指す。
【００１９】
本開示の文脈では、「Ｐポート」は「極ポート（ｐｏｌｅ  ｐｏｒｔ）」の略語であり、マルチウェイスイッチにおけるアンテナに結合されたポートを指す。また、「Ｔポート」は「スローポート（ｔｈｒｏｗ  ｐｏｒｔ）」の略語であり、マルチウェイスイッチにおける無線周波数モジュールに結合されたポートを指す。例えば、マルチウェイスイッチは３極３スロー（３Ｐ３Ｔ）スイッチである。
【００２０】
本開示の実施形態によれば、マルチウェイスイッチが提供される。マルチウェイスイッチは、１２個のＴポート及び４つのＰポートを含む。１２個のＴポートは４つの第一Ｔポートを含み、各々の第一Ｔポートは４つのＰポートに全部結合される。マルチウェイスイッチは、デュアル周波数デュアル送信モードで動作可能な電子装置の無線周波数回路及びアンテナシステムに結合されて、電子装置のプリセット機能を実現するために用いられる。アンテナシステムは、４つのＰポートに対応する４つのアンテナを含む。プリセット機能は、４つのアンテナによってサウンディングリファレンス信号ＳＲＳを順番に送信する機能である。
【００２１】
図１は、本開示の実施形態に係わるマルチウェイスイッチ１０の構造を示す概略図である。図１に示されたように、マルチウェイスイッチ１０は電子装置１００に適用可能である。電子装置１００は、デュアル周波数デュアル送信モードで動作可能であり、アンテナシステム２０及び無線周波数回路３０を含む。アンテナシステムは、４つのアンテナを含む。マルチウェイスイッチは、１２個のＴポート及び４つのＰポートを含み、１２個のＴポートは４つの第一Ｔポートを含み、各々の第一Ｔポートはすべての４つのＰポートに結合される（即ち、全部結合される（ｆｕｌｌｙ-ｃｏｕｐｌｅｄ））。４つのアンテナは、４つのＰポートに対応する。具体的には、４つのアンテナと４つのＰポートは１対１で対応される。
【００２２】
マルチウェイスイッチ１０は、無線周波数回路３０及びアンテナシステム２０に結合されて、電子装置１００のプリセット機能を実現するために用いられる。プリセット機能は、４つのＰポートに対応する４つのアンテナによってＳＲＳを順番に送信する機能であり、４ポートＳＲＳ機能であると理解できる。
【００２３】
送信アンテナとは、４つのアンテナのうちの送信機能（即ち、信号送信機能）をサポートするアンテナを指す。
【００２４】
電子装置１００は、第五世代の新しい無線（５Ｇ ＮＲ）をサポートする携帯電話又は他の端末装置であることができ、例えば、ＣＰＥ（Ｃｕｓｔｏｍｅｒ  Ｐｒｅｍｉｓｅ  Ｅｑｕｉｐｍｅｎｔ）又はポータブルブロードバンドワイヤレスデバイス（例えば、Ｍｏｂｉｌｅ  Ｗｉｆｉ，ＭＩＦＩ）である。
【００２５】
本発明の実施形態で説明するマルチウェイスイッチのＴポートとＰポートの間の結合（ｃｏｕｐｌｉｎｇ）、全部結合（ｆｕｌｌｙ  ｃｏｕｐｌｅｄ）、又は他の種類の結合の概念は、Ｔポートが第一スイッチトランジスタによってＰポートに結合されることを指す。１つのＴポート又は１つのＰポートは、第二スイッチトランジスタの１つのポートであることができる。第一スイッチトランジスタは、ＴポートとＰポートとの間の経路導通状態（ＴポートからＰポートへの単方向導通状態及びＰポートからＴポートへの単方向導通状態を含む）を制御するするために用いられる。第一スイッチトランジスタは、例えば、３つの金属酸化物半導体（ＭＯＳ）トランジスタからなるスイッチアレイであることができる。第一スイッチトランジスタが切断され且つ接地されていない場合、寄生パラメータは、導通されている他のポートの性能に影響を与える。従って、第一スイッチトランジスタは３つのＭＯＳトランジスタで構成され、３つのＭＯＳトランジスタは共通のソース（ｃｏｍｍｏｎ  ｓｏｕｒｃｅ）に接続され、つまり共通のソースに結合されることができる。第一スイッチトランジスタが切断されると、両側のＭＯＳトランジスタが切断され、中央の１つのＭＯＳトランジスタが接地される。第二スイッチトランジスタは、対応するポート（Ｔポート又はＰポート）を有効にするために用いられる。第二スイッチトランジスタは、例えば、ＭＯＳトランジスタであることができる。ここで、第一スイッチトランジスタ及び第二スイッチトランジスタの具体的な形態は限定されない。１つの実施形態において、電子装置は、第一スイッチトランジスタによって、ＴポートとＰポートとの間の経路の導通を制御することができる。別の実施形態において、電子装置は、マルチウェイスイッチのスイッチトランジスタに結合される専用のコントローラを設置することができる。
【００２６】
４つのＰポートに対応する４つのアンテナによってＳＲＳを順番に送信する機能は、電子装置はポーリングメカニズムに基づいて基地局と対話して各アンテナに対応するアップリンクチャネルの品質を確定する過程を示す。
【００２７】
いくつかの実施形態において、４つの第一Ｔポートに加えて、１２個のＴポートはさらに８つの第二Ｔポートを含む。８つの第二Ｔポートのそれぞれは４つのＰポートのうちの１つのＰポートに結合され、且つ同じ周波数帯域で動作可能な任意の２つの第二Ｔポートは４つのＰポートのうちの異なるＰポートに結合される。４つのＰポートのそれぞれは、対応するアンテナに結合される（換言すると、４つのＰポートと４つのアンテナは１対１で対応される）。４つの第一Ｔポートは送信機能のみをサポートする。８つの第二Ｔポートは受信機能のみをサポートする。
【００２８】
１２個のＴポートのうちの４つの第一Ｔポートは４つのＰポートに全部結合され、他の各Ｔポート（即ち、８つの第二Ｔポート）は１つのアンテナのみに固定的に結合されて、受信するために用いられるので、４極１２スロー（４Ｐ１２Ｔ）スイッチの内蔵電界効果トランジスタ（ＦＥＴ）の数量、体積及びコストを削減でき、性能を向上させる。以下、詳細に説明する。
【００２９】
上記の「デュアル周波数デュアル送信モード」は、電子装置がデュアル周波数帯域−２アップリンク（ＵＬ）送信経路又はデュアル周波数帯域−４ダウンリンク（ＤＬ）受信経路をサポートすることができる動作モードを指す。
【００３０】
１つの実施形態において、電子装置は論理的に８つの受信回路及び４つの送信回路を含み、電子装置は１２個のＴポートを含み且つ４経路送信をサポートするので、図２に示されたマルチウェイスイッチの構造を示す概略図のように、マルチウェイスイッチの金属酸化物半導体（ＭＯＳ）の数量は、１６＋（４＊４＋（１２−４）＊１）＊３＝８８である。４つの送信回路のそれぞれは４つの第一ポートのうちの１つの第一ポートに対応し、各々の第一ポートはマルチウェイスイッチの４つの第一Ｔポートのうちの１つの第一Ｔポートに結合される。また、８つの受信回路のそれぞれは８つの第二ポートのうちの１つの第二ポートに対応し、各々の第二ポートはマルチウェイスイッチの８つの第二Ｔポートのうちの１つの第二Ｔポートに結合される。
【００３１】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００３２】
図３は、本発明の実施形態に係わる図２に示された構造に対応するマルチウェイスイッチの構造を示す概略図である。図３に示されたように、マルチウェイスイッチは、１２個のＴポート及び４つのＰポートを含む。１２個のＴポートは、それぞれＴ１、Ｔ２、Ｔ３、Ｔ４、Ｔ５、Ｔ６、Ｔ７、Ｔ８、Ｔ９、Ｔ１０、Ｔ１１、Ｔ１２であり、４つのＰポートは、それぞれＰ１、Ｐ２、Ｐ３、Ｐ４である。１つの実施形態において、Ｔ１、Ｔ２、Ｔ３、Ｔ４は、送信機能をサポートするＴＸポートであり、Ｔ５、Ｔ６、Ｔ７、Ｔ８、Ｔ９、Ｔ１０、Ｔ１１、Ｔ１２は、受信機能のみをサポートするＲＸポートである。４つのＰポートのそれぞれは、アンテナシステムのポートに結合される（即ち、４つのＰポートのそれぞれは、対応するアンテナに結合される）。ポートＴ１、Ｔ２、Ｔ３、Ｔ４、Ｔ５、Ｔ６、Ｔ７、Ｔ８、Ｔ９、Ｔ１０、Ｔ１１、Ｔ１２、Ｐ１、Ｐ２、Ｐ３、Ｐ４は、ただ例示的なポートであり、本開示の実施形態はそれらに限定されないことを理解されるべきである。
【００３３】
上述した無線周波数回路とマルチウェイスイッチの整合形態は図面の構造を含むが、これに限定されなく、これはただ例示であることを理解されるべきである。
【００３４】
１つの可能な実施形態において、図４に示されたように、電子装置の無線周波数回路は、論理的に４つの送信回路と８つの受信回路を含む。無線周波数回路は、物理的に２つの独立回路モジュールを含む。２つの独立回路モジュールは、複数の送信ポート及び複数の受信ポートを有する。各送信ポートは、対応する第一Ｔポート（即ち、４つの第一Ｔポートのうちの１つ）に結合され、各受信ポートは、対応する第二Ｔポート（即ち、８つの第二Ｔポートのうちの１つ）に結合される。即ち、２つの独立回路モジュールの複数の送信ポートとマルチウェイスイッチの複数の第一Ｔポートは１対１で対応され、２つの独立回路モジュールの複数の受信ポートとマルチウェイスイッチの複数の第二Ｔポートは１対１で対応される。
【００３５】
１つの実施形態において、２つの独立回路モジュールは、１つの第一独立回路モジュール及び１つの第二独立回路モジュールを含む。第一独立回路モジュールは独立回路モジュール４００として具現され、第二独立回路モジュールは独立回路モジュール４１０として具現される。独立回路モジュール４００及び独立回路モジュール４１０は、両方とも複数の第一ポート及び複数の第二ポートを含む。各第一ポートは、マルチウェイスイッチの４つの第一Ｔポートのうちの１つの第一Ｔポートに結合され、各第二ポートは、マルチウェイスイッチの８つの第二Ｔポートのうちの１つの第二Ｔポートに結合される。
【００３６】
独立回路モジュール４００は、異なる周波数帯域で動作可能な２つの送信回路と、４つの受信回路と、を含む。独立回路モジュール４００の２つの送信回路のそれぞれは、独立回路モジュール４００の複数の第一ポートの１つの第一ポートに結合された１つの送信ポートを有する。独立回路モジュール４００の４つの受信回路のそれぞれは、独立回路モジュール４００の複数の第二ポートのうちの１つの第二ポートに結合された１つの受信ポートを有する。
【００３７】
独立回路モジュール４１０は、異なる周波数帯域で動作可能な２つの送信回路と、４つの受信回路と、を含む。独立回路モジュール４１０の２つの送信回路のそれぞれは、独立回路モジュール４１０の複数の第一ポートの１つの第一ポートに結合された１つの送信ポートを有する。独立回路モジュール４１０の４つの受信回路のそれぞれは、独立回路モジュール４１０の複数の第二ポートのうちの１つの第二ポートに結合された１つの受信ポートを有する。
【００３８】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００３９】
１つの可能な実施形態において、図５に示されたように、電子装置の無線周波数回路は、論理的に４つの送信回路と８つの受信回路を含む。無線周波数回路は、物理的に２つの独立回路モジュールを含む。２つの独立回路モジュールは、複数の送信ポート及び複数の受信ポートを有する。各送信ポートは、対応する第一Ｔポート（即ち、４つの第一Ｔポートのうちの１つ）に結合され、各受信ポートは、対応する第二Ｔポート（即ち、８つの第二Ｔポートのうちの１つ）に結合される。即ち、２つの独立回路モジュールの複数の送信ポートとマルチウェイスイッチの複数の第一Ｔポートは１対１で対応され、２つの独立回路モジュールの複数の受信ポートとマルチウェイスイッチの複数の第二Ｔポートは１対１で対応される。
【００４０】
１つの実施形態において、２つの独立回路モジュールは、１つの第一独立回路モジュール及び１つの第二独立回路モジュールを含む。第一独立回路モジュールは独立回路モジュール５００として具現され、第二独立回路モジュールは独立回路モジュール５１０として具現される。独立回路モジュール５００は複数の第一ポートを含み、独立回路モジュール５００の各第一ポートは、マルチウェイスイッチの４つの第一Ｔポートのうちの１つの第一Ｔポートに結合される。独立回路モジュール５１０は複数の第一ポート及び複数の第二ポートを含み、独立回路モジュール５１０の各第一ポートはマルチウェイスイッチの４つの第一Ｔポートのうちの１つの第一Ｔポートに結合され、各第二ポートはマルチウェイスイッチの８つの第二Ｔポートのうちの１つの第二Ｔポートに結合される。
【００４１】
独立回路モジュール５００は、異なる周波数帯域で動作可能な２つの送信回路を含む。独立回路モジュール５００の２つの送信回路のそれぞれは、独立回路モジュール５００の複数の第一ポートの１つの第一ポートに結合された１つの送信ポートを有する。
【００４２】
独立回路モジュール５１０は、異なる周波数帯域で動作可能な２つの送信回路と、８つの受信回路と、を含む。独立回路モジュール５１０の２つの送信回路のそれぞれは、独立回路モジュール５１０の複数の第一ポートの１つの第一ポートに結合された１つの送信ポートを有する。８つの受信回路のそれぞれは、独立回路モジュール５１０の複数の第二ポートのうちの１つの第二ポートに結合された１つの受信ポートを有する。
【００４３】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００４４】
１つの可能な実施形態において、図６に示されたように、電子装置の無線周波数回路は、論理的に４つの送信回路と８つの受信回路を含む。無線周波数回路は、物理的に３つの独立回路モジュールを含む。３つの独立回路モジュールのうちの少なくとも１つの独立回路モジュールは複数の送信ポートを含み、且つ各送信ポートは対応する第一Ｔポート（即ち、４つの第一Ｔポートのうちの１つ）に結合される。３つの独立回路モジュールは複数の受信ポートを含み、且つ各受信ポートは対応する第二Ｔポート（即ち、８つの第二Ｔポートのうちの１つ）に結合される。即ち、３つの独立回路モジュールの複数の送信ポートとマルチウェイスイッチの複数の第一Ｔポートは１対１で対応され、３つの独立回路モジュールの複数の受信ポートとマルチウェイスイッチの複数の第二Ｔポートは１対１で対応される。
【００４５】
１つの実施形態において、３つの独立回路モジュールは、２つの第一独立回路モジュール及び１つの第二独立回路モジュールを含む。２つの第一独立回路モジュールは２つの独立回路モジュール６００として具現され、第二独立回路モジュールは独立回路モジュール６１０として具現される。独立回路モジュール６００は複数の第一ポートを含み、且つ各第一ポートはマルチウェイスイッチの４つの第一Ｔポートのうちの１つの第一Ｔポートに結合される。独立回路モジュール６１０は複数の第二ポートを含み、且つ各第二ポートはマルチウェイスイッチの８つの第二Ｔポートのうちの１つの第二Ｔポートに結合される。
【００４６】
独立回路モジュール６００は、異なる周波数帯域で動作可能な２つの送信回路を含み、２つの送信回路のそれぞれは、独立回路モジュール６００の複数の第一ポートの１つの第一ポートに結合された１つの送信ポートを有する。
【００４７】
独立回路モジュール６１０は８つの受信回路を含み、８つの受信回路のそれぞれは、独立回路モジュール６１０の複数の第二ポートのうちの１つの第二ポートに結合された１つの受信ポートを有する。
【００４８】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００４９】
１つの可能な実施形態において、図７に示されたように、電子装置の無線周波数回路は、論理的に４つの送信回路と８つの受信回路を含む。無線周波数回路は、物理的に３つの独立回路モジュールを含む。３つの独立回路モジュールのうちの少なくとも１つの独立回路モジュールは複数の送信ポートを含み、且つ各送信ポートは対応する第一Ｔポート（即ち、４つの第一Ｔポートのうちの１つ）に結合される。３つの独立回路モジュールは複数の受信ポートを有し、且つ各受信ポートは対応する第二Ｔポート（即ち、８つの第二Ｔポートのうちの１つ）に結合される。即ち、３つの独立回路モジュールの複数の送信ポートとマルチウェイスイッチの複数の第一Ｔポートは１対１で対応され、３つの独立回路モジュールの複数の受信ポートとマルチウェイスイッチの複数の第二Ｔポートは１対１で対応される。
【００５０】
１つの実施形態において、３つの独立回路モジュールは、２つの第一独立回路モジュール及び１つの第二独立回路モジュールを含む。２つの第一独立回路モジュールは２つの独立回路モジュール７００として具現され、第二独立回路モジュールは独立回路モジュール７１０として具現される。独立回路モジュール７００は複数の第一ポート及び複数の第二ポートを含み、且つ各第一ポートはマルチウェイスイッチの４つの第一Ｔポートのうちの１つの第一Ｔポートに結合され、独立回路モジュール７００の各第二ポートはマルチウェイスイッチの８つの第二Ｔポートのうちの１つの第二Ｔポートに結合される。独立回路モジュール７１０は複数の第二ポートを含み、独立回路モジュール７１０の各第二ポートはマルチウェイスイッチの８つの第二Ｔポートのうちの１つの第二Ｔポートに結合される。
【００５１】
独立回路モジュール７００は、異なる周波数帯域で動作可能な２つの送信回路と、２つの受信回路と、を含む。２つの送信回路のそれぞれは、独立回路モジュール７００の複数の第一ポートの１つの第一ポートに結合された１つの送信ポートを有する。２つの受信回路のそれぞれは、独立回路モジュール７００の複数の第二ポートのうちの１つの第二ポートに結合された１つの受信ポートを有する。
【００５２】
独立回路モジュール７１０は４つの受信回路を含み、４つの受信回路のそれぞれは、独立回路モジュール７１０の複数の第二ポートのうちの１つの第二ポートに結合された１つの受信ポートを有する。
【００５３】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００５４】
１つの可能な実施形態において、図８に示されたように、電子装置の無線周波数回路は、論理的に４つの送信回路と８つの受信回路を含む。無線周波数回路は、物理的に４つの独立回路モジュールを含む。４つの独立回路モジュールのうちの少なくとも１つの独立回路モジュールは複数の送信ポートを含み、且つ各送信ポートは対応する第一Ｔポート（即ち、４つの第一Ｔポートのうちの１つ）に結合される。４つの独立回路モジュールは複数の受信ポートを有し、且つ各受信ポートは対応する第二Ｔポート（即ち、８つの第二Ｔポートのうちの１つ）に結合される。即ち、４つの独立回路モジュールの複数の送信ポートとマルチウェイスイッチの複数の第一Ｔポートは１対１で対応され、４つの独立回路モジュールの複数の受信ポートとマルチウェイスイッチの複数の第二Ｔポートは１対１で対応される。
【００５５】
１つの実施形態において、４つの独立回路モジュールは、４つの第一独立回路モジュールを含む。４つの第一独立回路モジュールは、４つの独立回路モジュール８００として具現される。独立回路モジュール８００は１つの第一ポート及び複数の第二ポートを含み、第一ポートはマルチウェイスイッチの４つの第一Ｔポートのうちの１つの第一Ｔポートに結合され、各第二ポートはマルチウェイスイッチの８つの第二Ｔポートのうちの１つの第二Ｔポートに結合される。
【００５６】
独立回路モジュール８００は、１つの送信回路及び２つの受信回路を含む。送信回路は、独立回路モジュール８００の第一ポートに結合された送信ポートを有する。２つの受信回路のそれぞれは、独立回路モジュール８００の複数の第二ポートのうちの１つの第二ポートに結合された１つの受信ポートを有する。
【００５７】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００５８】
１つの可能な実施形態において、図９に示されたように、電子装置の無線周波数回路は、論理的に４つの送信回路と８つの受信回路を含む。無線周波数回路は、物理的に６つの独立回路モジュールを含む。６つの独立回路モジュールのうちの少なくとも１つの独立回路モジュールは複数の送信ポートを含み、且つ各送信ポートは対応する第一Ｔポート（即ち、４つの第一Ｔポートのうちの１つ）に結合される。６つの独立回路モジュールは複数の受信ポートを有し、且つ各受信ポートは対応する第二Ｔポート（即ち、８つの第二Ｔポートのうちの１つ）に結合される。即ち、６つの独立回路モジュールの複数の送信ポートとマルチウェイスイッチの複数の第一Ｔポートは１対１で対応され、６つの独立回路モジュールの複数の受信ポートとマルチウェイスイッチの複数の第二Ｔポートは１対１で対応される。
【００５９】
１つの実施形態において、６つの独立回路モジュールは、２つの第一独立回路モジュール及び４つの第二独立回路モジュールを含む。２つの第一独立回路モジュールは２つの独立回路モジュール９００として具現され、４つの第二独立回路モジュールは４つの独立回路モジュール９１０として具現される。独立回路モジュール９００は複数の第一ポートを含み、且つ各第一ポートはマルチウェイスイッチの４つの第一Ｔポートのうちの１つの第一Ｔポートに結合される。独立回路モジュール９１０は複数の第二ポートを含み、且つ各第二ポートはマルチウェイスイッチの８つの第二Ｔポートのうちの１つの第二Ｔポートに結合される。
【００６０】
独立回路モジュール９００は、異なる周波数帯域で動作可能な２つの送信回路を含み、２つの送信回路のそれぞれは、独立回路モジュール９００の複数の第一ポートの１つの第一ポートに結合された１つの送信ポートを有する。
【００６１】
独立回路モジュール９１０は２つの受信回路を含み、２つの受信回路のそれぞれは、独立回路モジュール９１０の複数の第二ポートのうちの１つの第二ポートに結合された１つの受信ポートを有する。
【００６２】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００６３】
１つの可能な実施形態において、図１０に示されたように、電子装置の無線周波数回路は、論理的に４つの送信回路と８つの受信回路を含む。無線周波数回路は、物理的に８つの独立回路モジュールを含む。８つの独立回路モジュールのうちの少なくとも１つの独立回路モジュールは複数の送信ポートを含み、且つ各送信ポートは対応する第一Ｔポート（即ち、４つの第一Ｔポートのうちの１つ）に結合される。８つの独立回路モジュールは複数の受信ポートを有し、且つ各受信ポートは対応する第二Ｔポート（即ち、８つの第二Ｔポートのうちの１つ）に結合される。即ち、８つの独立回路モジュールの複数の送信ポートとマルチウェイスイッチの複数の第一Ｔポートは１対１で対応され、８つの独立回路モジュールの複数の受信ポートとマルチウェイスイッチの複数の第二Ｔポートは１対１で対応される。
【００６４】
１つの実施形態において、８つの独立回路モジュールは、２つの第一独立回路モジュール、２つの第二独立回路モジュール及び４つの第三独立回路モジュールを含む。２つの第一独立回路モジュールは２つの独立回路モジュール１１０として具現され、２つの第二独立回路モジュールは２つの独立回路モジュール１１１として具現され、４つの第三独立回路モジュールは４つの独立回路モジュール１１２として具現される。独立回路モジュール１１０は複数の第一ポートを含み、且つ各第一ポートはマルチウェイスイッチの４つの第一Ｔポートのうちの１つの第一Ｔポートに結合される。独立回路モジュール１１１は複数の第二ポートを含み、独立回路モジュール１１２は１つの第二ポートを含み、且つ各第二ポートはマルチウェイスイッチの８つの第二Ｔポートのうちの１つの第二Ｔポートに結合される。
【００６５】
独立回路モジュール１１０は、異なる周波数帯域で動作可能な２つの送信回路を含み、２つの送信回路のそれぞれは、独立回路モジュール１１０の複数の第一ポートの１つの第一ポートに結合された１つの送信ポートを有する。
【００６６】
独立回路モジュール１１１は２つの受信回路を含み、２つの受信回路のそれぞれは、独立回路モジュール１１１の複数の第二ポートのうちの１つの第二ポートに結合された１つの受信ポートを有する。
【００６７】
独立回路モジュール１１２は１つの受信回路を含み、この受信回路は独立回路モジュール１１２の第二ポートに結合された受信ポートを有する。
【００６８】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００６９】
１つの可能な実施形態において、図１１に示されたように、電子装置の無線周波数回路は、論理的に４つの送信回路と８つの受信回路を含む。無線周波数回路は、物理的に１０個の独立回路モジュールを含む。１０個の独立回路モジュールのうちの少なくとも１つの独立回路モジュールは複数の送信ポートを含み、且つ各送信ポートは対応する第一Ｔポート（即ち、４つの第一Ｔポートのうちの１つ）に結合される。１０個の独立回路モジュールは複数の受信ポートを有し、且つ各受信ポートは対応する第二Ｔポート（即ち、８つの第二Ｔポートのうちの１つ）に結合される。即ち、１０個の独立回路モジュールの複数の送信ポートとマルチウェイスイッチの複数の第一Ｔポートは１対１で対応され、１０個の独立回路モジュールの複数の受信ポートとマルチウェイスイッチの複数の第二Ｔポートは１対１で対応される。
【００７０】
１つの実施形態において、１０個の独立回路モジュールは、２つの第一独立回路モジュール及び８つの第二独立回路モジュールを含む。２つの第一独立回路モジュールは２つの独立回路モジュール２１０として具現され、８つの第二独立回路モジュールは８つの独立回路モジュール２１１として具現される。独立回路モジュール２１０は複数の第一ポートを含み、且つ各第一ポートはマルチウェイスイッチの４つの第一Ｔポートのうちの１つの第一Ｔポートに結合される。独立回路モジュール２１１は１つの第二ポートを含み、且つこの第二ポートはマルチウェイスイッチの８つの第二Ｔポートのうちの１つの第二Ｔポートに結合される。
【００７１】
独立回路モジュール２１０は、異なる周波数帯域で動作可能な２つの送信回路を含み、２つの送信回路のそれぞれは、独立回路モジュール２１０の複数の第一ポートの１つの第一ポートに結合された１つの送信ポートを有する。
【００７２】
独立回路モジュール２１１は１つの受信回路を含み、この受信回路は独立回路モジュール２１１の第二ポートに結合された受信ポートを有する。
【００７３】
見て分かるように、本実施形態において、電子装置は、アンテナシステム、無線周波数回路及びマルチウェイスイッチを含む。アンテナシステムは、４つのアンテナを含む。マルチウェイスイッチは、１２個のＴポート及び４つのＰポートを含む。マルチウェイスイッチは無線周波数回路及びアンテナシステムに結合されて、電子装置の４つのＰポートに対応する４つのアンテナによってＳＲＳを順番に送信する機能を実現する。
【００７４】
上述した受信回路及び送信回路は、様々な方法で実現できることを理解できる。本発明の実施形態は特に限定しない。本明細書における「送受信ポート」、「送信ポート」又は「受信ポート」は、対応する送信機能及び/又は受信機能を実現し、且つ送信回路の経路上に位置するか、又は受信回路の経路上に位置するか、又は１つ以上の送信回路及び/又は１つ以上の受信回路を統合した後の経路上に位置するポート（１つ以上のコンポーネントから構成されることができる）を指す。図面に示されたポート（送信ポート、受信ポート及び送受信ポートなど）は例示的なものであり、ポートの正確な位置を示し且つ限定することを意図しないことに留意されたい。本明細書の「モジュール」は、回路及び関連するコンポーネントの任意の組み合わせを指すことができることに留意されたい。
【００７５】
１つの可能な実施形態において、受信回路は、ＬＮＡ及びフィルタを含む。受信回路のフィルタは、独立回路モジュールの対応する第二ポートに結合された入力ポートと、ＬＮＡの入力ポートに結合された出力ポートと、を有する。ＬＮＡは、無線周波数（ＲＦ）トランシーバの対応するポートに結合されたの出力ポートを有する。
【００７６】
１つの可能な実施形態において、送信回路は、ＰＡ、フィルタ及びパワーカプラを含む。ＰＡは、ＲＦトランシーバの対応するポートに結合された入力ポートと、送信回路のフィルタの入力ポートに結合された出力ポートと、を有する。送信回路のフィルタは、パワーカプラの入力ポートに結合された出力ポートを有する。パワーカプラは、独立回路モジュールの対応する第一ポートに結合された出力ポートを有する。
【００７７】
１つの可能な実施形態において、４つのアンテナは、第一アンテナ、第二アンテナ、第三アンテナ及び第四アンテナを含む。これらの４つのアンテナは、すべて第五世代の新しい無線（５Ｇ ＮＲ）周波数帯域で使用することができる。
【００７８】
別の可能な実施形態において、４つのアンテナは、第一アンテナ、第二アンテナ、第三アンテナ及び第四アンテナを含む。第一アンテナと第四アンテナは、長期進化（Ｌｏｎｇ Ｔｅｒｍ Ｅｖｏｌｕｔｉｏｎ，ＬＴＥ）周波数帯域と第五世代の新しい無線（５Ｇ ＮＲ）周波数帯域で作動可能なアンテナである。第二アンテナ及び第三アンテナは、５Ｇ ＮＲ周波数帯域のみで作動可能なアンテナである。
【００７９】
第一アンテナ及び第四アンテナは、ＬＴＥ端末上の一部の周波数帯域でＤＬ ４×４ ＭＩＭＯをサポートすることを目的とする。この２つのアンテナは５Ｇ ＮＲと共有される（以下、「共有アンテナ」と呼ぶ）。ＬＴＥ周波数帯域は、例えば、１８８０ＭＨｚ〜１９２０ＭＨｚ及び２４９６ＭＨｚ〜２６９０ＭＨｚを含むことができる。
【００８０】
本実施形態において、同じ周波数帯域の２つのＰＡが同時に動作すると（ＵＬ ＭＩＭＯモードに対応する）、送信電力が高くなり、２つの信号が互いに干渉する。さらに、２つのＰＡが同時に動作すると、放熱効率を影響する。従って、送信回路のＰＡを２つの独立回路モジュールに配置することを必要とする。これは、干渉を減らし、無線周波数システムの信号処理効率と放熱効率を向上させることに役立つ。
【００８１】
１つの可能な実施形態において、図１２に示されたように、アンテナシステムは、第一コンバイナ及び第二コンバイナをさらに含む。第一コンバイナは、第一アンテナに結合された第一ポートと、電子装置の長期進化４×４多入力多出力（ＬＴＥ ４×４  ＭＩＭＯ）の第一受信経路に結合された第二ポートと、マルチウェイスイッチの４つのＰポートのうちの対応するＰポートに結合された第三ポートと、を含む。第二コンバイナは、第四アンテナに結合された第一ポートと、電子装置のＬＴＥ ４×４ ＭＩＭＯの第二受信経路に結合された第二ポートと、マルチウェイスイッチの４つのＰポートのうちの対応するＰポートに結合された第三ポートと、を含む。
【００８２】
ＬＴＥ  ４×４  ＭＩＭＯはダウンリンクＬＴＥ受信回路であり、第三受信経路として定義することができる。ＬＴＥには、現在２つの受信経路があるので、ＬＴＥ  ４×４  ＭＩＭＯをサポートするために、第三受信経路と第四受信経路が追加される。
【００８３】
電子装置は、４つのアンテナの性能に応じて、回路のＰＲＸ（プライマリレシーバー（ｐｒｉｍａｒｙ  ｒｅｃｅｉｖｅｒ））に良い性能を有するアンテナを配置し、アンテナはスタンバイ状態になる。送信機能と受信機能の両方を有するスイッチの第一ＴポートをＴＸ（送信）とＰＲＸとして使用することができ、アンテナを任意に切り替えることができ、共有アンテナのポート間の結合を制限することを必要としない。
【００８４】
１つの可能な実施形態において、図１３に示されたように、アンテナシステムは、第一単極双投（ＳＰＤＴ）スイッチ及び第二ＳＰＤＴスイッチをさらに含む。第一ＳＰＤＴスイッチは、第一アンテナに結合された第一ポートと、電子装置のＬＴＥ  ４×４  ＭＩＭＯの第一受信経路に結合された第二ポートと、マルチウェイスイッチの４つのＰポートのうちの対応するＰポートに結合された第三ポートと、を含む。第二ＳＰＤＴスイッチは、第四アンテナに結合された第一ポートと、電子装置のＬＴＥ  ４×４  ＭＩＭＯの第二受信経路に結合された第二ポートと、マルチウェイスイッチの４つのＰポートのうちの対応するＰポートに結合された第三ポートと、を含む。
【００８５】
図１４は、本発明の実施形態に係わる無線周波数システム２００の構造を示す概略図である。図１４に示されたように、無線周波数システム２００は、アンテナシステム２０と、無線周波数トランシーバ４０と、無線周波数トランシーバ４０に結合された無線周波数回路３０と、上述したいずれかの実施形態で説明されたマルチウェイスイッチ１０と、を含む。
【００８６】
１つの実施形態において、マルチウェイスイッチ１０は、１２個のＴポート及び４つのＰポートを含む。１２個のＴポートは４つの第一Ｔポートを含み、各々の第一Ｔポートは４つのＰポートに全部結合される。アンテナシステム２０は、４つのＰポートに対応する４つのアンテナを含む。マルチウェイスイッチ１０は、４つのアンテナによってＳＲＳを順番に送信するプリセット機能を実現するために用いられる。
【００８７】
例えば、電子装置の無線周波数システム２００の全体的なアーキテクチャが図１４に示されている。電子装置が周波数帯域Ｎｘによってデータを送信する場合、無線周波数システム２００の動作プロセスは以下の通りである。無線周波数トランシーバ４０は、周波数帯域Ｎｘの送信ポートＴＸ＿Ｎｘを介して、送信ポートＴＸ＿Ｎｘに結合された第一独立回路モジュールのＰＡに送信信号を送信する。ＰＡは、送信回路のフィルタを介して受信した送信信号を第一独立回路モジュールの第一ポートに送信する。第一ポートに結合されたマルチウェイスイッチ１０の第一Ｔポートは信号送信機能をサポートする完全結合されたポートであるので、第一ポートはマルチウェイスイッチ１０の第一Ｔポートによって同じ時間内に４つのＰポートに４つの送信信号を送信することができる。この場合、４つのＰポートは各Ｐポートに対応するアンテナによって４つの送信信号４つのデータチャネルで同時に外部装置に送信する。
【００８８】
同様に、電子装置が周波数帯域Ｎｙによってデータを受信する場合、無線周波数システム２００の動作プロセスは以下の通りである。４つのアンテナは、４つの受信信号を同じ時間内にマルチウェイスイッチ１０の４つのＰポートに別々に送信する。４つのＰポートは、４つの受信信号をマルチウェイスイッチ１０の４つの第二Ｔポートに別々に送信する。４つの第二Ｔポートのうちの各第二Ｔポートは、別々に４つのＰポートのうちの各Ｐポートから１つの受信信号を受信する。４つの第二Ｔポートのうちの各第二Ｔポートは、第二独立回路モジュールの第二ポートを介して、第二独立回路モジュールの４つの受信回路のうちの各受信回路に受信信号を送信する。各受信回路は、無線周波数トランシーバ４０の周波数帯域Ｎｙの受信ポートＲＸ＿Ｎｙに対応する。各受信回路は、フィルタ及びＬＮＡを介して受信した受信信号を無線周波数トランシーバ４０の周波数帯域Ｎｙの受信ポートＲＸ＿Ｎｙに送信することにより、電子装置の４つの受信信号経路を実現する。
【００８９】
図１５は、本発明の実施形態に係わる無線通信装置３００の構造を示す概略図である。図１５に示されたように、無線通信装置３００（例えば、端末装置、基地局などであることができる）は、アンテナシステム２０と、無線周波数トランシーバ４０と、無線周波数トランシーバ４０に結合された無線周波数回路３０と、上述したいずれかの実施形態で説明されたマルチウェイスイッチ１０と、を含む。
【００９０】
１つの実施形態において、アンテナシステム２０は４つのアンテナを含む。マルチウェイスイッチ１０は、１２個のＴポート及び４つのＰポートを含む。１２個のＴポートは、送信機能のみをサポートする４つの第一Ｔポートと、受信機能のみをサポートする８つの第二Ｔポートと、を含む。各々の第一Ｔポートは４つのＰポートに全部結合される。各々の第二Ｔポートは４つのＰポートのうちの１つのＰポートに結合され、且つ同じ周波数帯域で動作可能な任意の２つの第二Ｔポートは４つのＰポートのうちの異なるＰポートに結合される。４つのＰポートのそれぞれは、対応するアンテナに結合される。マルチウェイスイッチは、４つのＰポートに対応する４つのアンテナによってＳＲＳを順番に送信するプリセット機能を実現するために用いられる。
【００９１】
別の実施形態において、アンテナシステム２０は、第一コンバイナ及び第二コンバイナをさらに含む。第一コンバイナは、第一アンテナに結合された第一ポートと、無線通信装置３００の長期進化４×４多入力多出力（ＬＴＥ ４×４  ＭＩＭＯ）の第一受信経路に結合された第二ポートと、マルチウェイスイッチ１０の４つのＰポートのうちの対応するＰポートに結合された第三ポートと、を含む。第二コンバイナは、第四アンテナに結合された第一ポートと、無線通信装置３００のＬＴＥ ４×４ ＭＩＭＯの第二受信経路に結合された第二ポートと、マルチウェイスイッチ１０の４つのＰポートのうちの対応するＰポートに結合された第三ポートと、を含む。
【００９２】
さらに、図１６に示されるように、本発明の実施形態で説明されるアンテナシステムの４つのアンテナは、電子装置の無線充電受信機（ｗｉｒｅｌｅｓｓ  ｃｈａｒｇｉｎｇ  ｒｅｃｅｉｖｅｒ）によって再利用することもできる。１つの実施形態において、無線充電受信機は、受信アンテナ及び受信制御回路を含む。受信アンテナは、無線充電送信機（ｗｉｒｅｌｅｓｓ  ｃｈａｒｇｉｎｇ  ｔｒａｎｓｍｉｔｔｅｒ）の送信アンテナと一致する（周波数が同じ又は類似している場合に共振し、放射性共振磁気結合方式でエネルギーを無線伝送方式で伝送する）。受信制御回路は、ループアレイアンテナによってエネルギーを直流（ＤＣ）に変換してから出力して、バッテリーを充電する。受信制御回路は、ループアレイアンテナの周波数を動的に調整することにより、ループアレイアンテナの周波数を無線充電送信機の送信アンテナの周波数と一致させて、ペアリングされた充電を達成することができる。あるいは、受信制御回路は、リアルタイムで無線充電送信機と周波数変更範囲について対話して、「排他的な暗号化」無線充電モードを実現することができる。
【００９３】
受信アンテナは、４つのアンテナのうちの少なくとも１つのアンテナからなるアンテナであることができる（受信アンテナは複数のアンテナからなる場合、複数のアンテナはスイッチによってストローブされる）。
【００９４】
例えば、図１７に示されたように、受信アンテナは、４つのアンテナを含むループアレイアンテナである。４つのアンテナは、アンテナ１、アンテナ２、アンテナ３及びアンテナ４を含む。アンテナ１及びアンテナ４は、ＬＴＥ周波数帯域と５Ｇ ＮＲ周波数帯域の両方で動作可能であるが、アンテナ２及びアンテナ３は、５Ｇ ＮＲ周波数帯域のみで動作可能である。アンテナ１のポートとアンテナ４のポートは、ループアレイアンテナのポートとして使用される。隣接するアンテナの間は、絶縁機能を有するゲート回路１７０によって結合される。ゲート回路１７０は、スペーサー１７１及びスイッチ１７２を含み、スペーサー１７１は導体であり、スイッチ１７２はさらにコントローラーに結合される。電子装置は、無線充電モードで各ゲート回路１７０のスイッチ１７２を導通させて、エネルギーを受信するループアレイアンテナを形成することができる。アンテナの間にスペーサ１７１を追加することにより、ゲート回路１７０は、通常の通信モードにおける電子装置の複数のアンテナの間の相互結合を低減し、複数のアンテナ間の分離を改善し、アンテナの性能を最適化する一方、スイッチ１７２によって複数のアンテナを直列に結合してループアレイアンテナを形成することにより、送信アンテナとの一致性を高めてエネルギーを伝送することができる。アンテナ１及びアンテナ４の能力はアンテナ２及びアンテナ３の能力よりも強いので、このように配置されたループアレイアンテナは、エネルギー伝送損失を極力低減することができる。
【図１】
2021510040.tif 000003
【図２】
2021510040.tif 000004
【図３】
2021510040.tif 000005
【図４】
2021510040.tif 000006
【図５】
2021510040.tif 000007
【図６】
2021510040.tif 000008
【図７】
2021510040.tif 000009
【図８】
2021510040.tif 000010
【図９】
2021510040.tif 000011
【図１０】
2021510040.tif 000012
【図１１】
2021510040.tif 000013
【図１２】
2021510040.tif 000014
【図１３】
2021510040.tif 000015
【図１４】
2021510040.tif 000016
【図１５】
2021510040.tif 000017
【図１６】
2021510040.tif 000018
【図１７】
2021510040.tif 000019
【国際調査報告】
2021510040.tif 000020
2021510040.tif 000021
2021510040.tif 000022